(57)【要約】      （修正有）【課題】簡単に分解することができる真空包装装置におけるコンベヤベルトを提供する。【解決手段】コンベヤベルトを無端状に連結する蝶番２０は、雌盤２１と雄盤２４とからなり、雄様式の筒２３内に配置した張りばねは２本の棒ピン２５を、雌様式の複数の筒２２に押し入れてコンベヤベルトを連結する。またＬ字形の、一対の案内スリット３１から突き出す一対の摘み３０を、これら摘みの間に設けた張りばねを圧縮しながら第１長穴３３に沿って接近させるこにより、２本の棒ピン２５と雌様式の複数の筒２２との係合が解除される。常時、２本の棒ピン２５を、摘み３０を介して案内スリットに係合保持でき、コンベヤベルトの接続・分解が容易である。【選択図】図１
0003143439.tif 000002
【実用新案登録請求の範囲】
【請求項１】
コンベヤベルトでもって運搬する開封包装体に向けて耐圧チャンバーを被せ、前記コンベヤベルトと耐圧チャンバーとにより形成する密封空間内において前記開封包装体を真空包装する装置において、
前記コンベヤベルトを無端状に連結する蝶番は、一側対向縁に設けた雌様式の複数の筒と、他側対向縁に設けた単数の雄様式の筒とからなり、該雄様式の筒内に設置した張りばねは、同雄様式の筒内に設置した２本の棒ピンを、その両側における雌様式の複数個の筒内に押し出すことでコンベヤベルトを連結し、
また雄様式の筒に、該筒の軸線方向に沿う二つの第１長穴と、これら第１長穴の対向端から直角方向に向いた第２長穴とからなる一対の案内スリットを形成し、前記２個の棒ピンそれぞれの内端に直角状に連結する摘みを、前記一対の案内スリットから筒外部に突き出して構成する分離機構。
【考案の詳細な説明】
【技術分野】
【０００１】
本考案は、コンベヤベルトでもって開封包装体を運搬し、前記運搬軌道中において前記コンベヤベルトと、それに被さる耐圧チャンバーとで前記開封包装体を囲んで真空包装する装置において、前記コンベヤベルトを簡単に分解可能にした機構に関する。
【０００２】
開封包装体に収容した被包装物が塩分や油脂を含み持つ食品の場合、前記耐圧チャンバーを減圧することにより、開封包装体からは塩分や油脂が湧き出してコンベヤベルトを汚染するので、該コンベヤベルトを分解して定期的に洗浄の必要がある。そこで下記の特許文献１では、コンベヤベルトの一側対向縁に蝶番の雄盤を、同蝶番の他側対向縁に蝶番の雌盤をそれぞれ固定し、前記雄盤のボスと雌盤のボスとに軸ピンを差し入れて連結し、前記軸ピンを引き抜くことで分解できるようにしているが、分解してコンベヤベルトを洗浄するとき、着脱自在な前記ピンでは同ピンを紛失しやいという問題があった。
【０００３】
【特許文献１】特開２００２−５９９０９号公報
【考案の開示】
【０００４】
本発明は前記の問題点を解決するものであって、コンベヤベルトでもって運搬する開封包装体に向けて耐圧チャンバーを被せ、前記コンベヤベルトと耐圧チャンバーとにより形成する密封空間内において前記開封包装体を真空包装する装置において、  前記コンベヤベルトを無端状に連結する蝶番は、一側対向縁に設けた雌様式の複数の筒と、他側対向縁に設けた単数の雄様式の筒とからなり、該雄様式の筒内に設置した張りばねは、同雄様式の筒内に設置した２本の棒ピンを、その両側における雌様式の複数個の筒内に押し出すことでコンベヤベルトを連結し、また雄様式の筒に、該筒の軸線方向に沿う二つの第１長穴と、これら第１長穴の対向端から直角方向に向いた第２長穴とからなる一対の案内スリットを形成し、前記２個の棒ピンそれぞれの内端に直角状に連結する摘みを、前記一対の案内スリットから筒外部に突き出して構成する。
【０００５】
前記の構成において一対の案内スリットから雄様式の筒外部に突き出す一対の摘みは、第２長穴に沿って起伏自在であり、通常、摘みをコンベヤベルトに伏せるように近づけることができる。また一対の案内スリットから雄様式の１個の筒部に突き出す一対の摘みを、張りばねを圧縮しながら第１長穴に沿って接近させるこにより、２本の棒ピンは雌様式の２個の筒との係合が解除されてコンベヤベルトの分解が可能になるが、常時、２本の棒ピンは摘みを介して案内スリットに係合保持されるので、その紛失がなくなりコンベヤベルトの接続を容易にする。
【実施例１】
【０００６】
図２に示す真空包装装置は、一対のプーリ１１に支持したコンベヤベルト１０を定盤１２の上面に沿って断続回転させ、上域から下降する耐圧チャンバー１３と、前記のコンベヤベルト１０とにより形成する密封空間内において、コンベヤベルト１０が運搬する開封包装体１５を真空環境下で密封する構成である。なお前記のコンベヤベルト１０は、開封包装体１５の開口縁を支えるシール台１６を等間隔に備え、一方、耐圧チャンバー１３は、ダイフラム式のアクチュエータ１７によって前記シール台１６との間で前記の開口縁を密封状に溶着するシールバーを、内部に備えている。
【０００７】
一方図３は、コンベヤベルト１０を無端状に連結する対向縁の蝶番２０を示すものであって、より詳細には図１に示すごとく該蝶番２０は、両側に雌様式の２個の筒２２を備える雌盤２１と、横方向に細長い雄要素の１個の筒２３を備える雄盤２４とにより構成する。雄要素の１個の筒２３を、雌様式の２個の筒２２間に差し込み、筒２３内に配置した張りばね（図示省略）弾力で２本の棒ピン２５をそれぞれ雌様式の２個の筒２２内に押し出すことで、該蝶番２０を介してコンベヤベルトを無端氏状に連結することができるのである。
【０００８】
図１に示すごとく２本の棒ピン２５の内端にはそれぞれ摘み３０を直角状態に備え、これら摘み３０は筒２３に形成した案内スリット３１から筒外部に突き出る。雄要素の筒２３一部を斜めに示す図６のごとく、前記の案内スリット３１は、筒２３の軸線３２方向に向く第１長穴３３と、この第１長穴３３の端に直角に繋がる第２長穴３４とからなり、図４に示すように第２長穴３４は、２本の第１長穴３３それぞれの内端に形成する。
【０００９】
図1 において張りばねの反力に抗して２本の摘み３０を第１長穴３３に沿って矢印４０のごとく引き寄せ、各棒ピン２５を、雌様式の２個の筒２２から引き抜くことによりコンヘヤベルトの分解が可能になり、図４のごとく各摘み３０は第２長穴３４に沿って起立させる。この起立状態を保持することでコンベヤベルトの分解又は連結の各作業が可能になるのである。つまり図５に示すように摘み３０は、コンベヤベルト１０の連結を維持する場合はコンベヤベルト１０に添うように横寝状の姿勢を保ち、コンベヤベルト１０の分離・連結の作業時には仮想線のごとく起立させるのである。
【図面の簡単な説明】
【００１０】
【図１】蝶番の分解平面図
【図２】ベルト式真空包装装置の側面図
【図３】コンベヤベルトの部分図
【図４】蝶番雄様式の筒の説明図
【図５】図３におけるV−V線に沿う断面図
【図６】蝶番雄様式の筒の斜視図
【符号の説明】
【００１１】
１０‥‥コンベヤベルト
１２‥‥定盤
１３‥‥耐圧チャンバー
２０‥‥蝶番
２２‥‥雌様式の２個の筒
２３‥‥雄様式の１個の筒
２５‥‥棒ピン
３０‥‥摘み
３１‥‥案内スリット
３３‥‥第１長穴
３４‥‥第２長穴
【図１】
0003143439.tif 000003
【図２】
0003143439.tif 000004
【図３】
0003143439.tif 000005
【図４】
0003143439.tif 000006
【図５】
0003143439.tif 000007
【図６】
0003143439.tif 000008